(57)【要約】  別々に形成された２つの対物レンズ部が組み合されてなる光学素子ＯＥをボビンＢＢに組み付ける際に、位置決めの判定がしやすく、容易に組み付けを行うことが可能な光ピックアップ装置用の光学素子を提供するために、第１の対物レンズ部ＯＬ１のフランジ部ＦＬ１の面の面粗度を、第２の対物レンズ部ＯＬ２のフランジ部ＦＬ２の面粗度より悪くするか、又は互いのフランジ部の面の光軸に対する角度を異ならせることで、検出光源ＯＳからの検出光がフランジ部ＦＬ１に照射されたとき、その反射光は、ＣＣＤ等で検出される可能性は低いので、フランジ部ＦＬ２から反射された光を精度良く検出でき、これにより光学素子ＯＥを精度良くボビンＢＢに取り付けることができる。
2008111364.tif 000002
【特許請求の範囲】
【請求項１】
単一又は複数の光源と、第１の対物レンズ部と第２の対物レンズ部とを組み合わせて形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面の周囲に形成されたフランジ部の面粗度は、前記第２の対物レンズ部の光学面の周囲に形成されたフランジ部の面粗度より大きいことを特徴とする光ピックアップ装置用の光学素子。
【請求項２】
前記第１の対物レンズ部の前記フランジ部の光情報記録媒体側の面の面粗度が、前記第２の対物レンズ部の前記フランジ部の光情報記録媒体側の面の面粗度より大きいことを特徴とする請求の範囲第１項記載の光ピックアップ装置用の光学素子。
【請求項３】
前記フランジ部に、光束を照射した際の反射光強度が以下の条件を満たすことを特徴とする請求の範囲第１項記載の光ピックアップ装置用の光学素子。
０．０  ＜  Ｉｒ１／Ｉｒ２  ＜  ０．３              （１）
但し、
Ｉｒ１：前記第１の対物レンズ部の光学面の周囲に形成されたフランジ部からの反射光の強度
Ｉｒ２：前記第２の対物レンズ部の光学面の周囲に形成されたフランジ部からの反射光の強度
【請求項４】
前記第１の対物レンズ部の前記フランジ部に光束を垂直に照射したときの反射率をＡ％とし、前記第２の対物レンズ部の前記フランジ部に光束を垂直に照射したときの反射率をＢ％としたとき、以下の条件を満たすことを特徴とする請求の範囲第１項記載の光ピックアップ装置用の光学素子。
Ｂ−Ａ≧１０（％）                  （２）
【請求項５】
単一又は複数の光源と、第１の対物レンズ部と第２の対物レンズ部とを組み合わせて形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面の周囲に形成されたフランジ部の面の光軸に対する角度と、前記第２の対物レンズ部の光学面の周囲に形成されたフランジ部の面の光軸に対する角度とが異なっていることを特徴とする光ピックアップ装置用の光学素子。
【請求項６】
前記第１の対物レンズ部の前記フランジ部の光情報記録媒体側の面の光軸に対する角度と、前記第２の対物レンズ部の前記フランジ部の光情報記録媒体側の面の光軸に対する角度とが異なっていることを特徴とする請求の範囲第５項記載の光ピックアップ装置用の光学素子。
【請求項７】
前記第１の対物レンズ部の光学面の周囲に形成されたフランジ部の面の光軸に対する角度と、前記第２の対物レンズ部の光学面の周囲に形成されたフランジ部の面の光軸に対する角度が以下の条件を満たすことを特徴とする請求の範囲第５項記載の光ピックアップ装置用の光学素子。
０．５  ＜  ｜θ１−θ２｜  ＜  １０．０            （３）
但し、
θ１：前記第１の対物レンズ部の光学面の周囲に形成されたフランジ部の面と、光軸、のなす角度（ｄｅｇ．）
θ２：前記第２の対物レンズ部の光学面の周囲に形成されたフランジ部の面と、光軸、のなす角度（ｄｅｇ．）
【請求項８】
前記第２の対物レンズ部の光学面の周囲に形成されたフランジ部の面は、前記第２の対物レンズ部の光軸に対してほぼ直交していることを特徴とする請求の範囲第５項記載の光ピックアップ装置用の光学素子。
【請求項９】
前記第２の対物レンズ部のフランジ部に形成された開口又は切欠に、前記第１の対物レンズ部が嵌め込まれていることを特徴とする請求の範囲第１項〜第８項のいずれかに記載の光ピックアップ装置用の光学素子。
【請求項１０】
請求の範囲第１項〜第９項のいずれかに記載の光学素子を用いることを特徴とする光ピックアップ装置。
【発明の詳細な説明】
【技術分野】
【０００１】
本発明は、異なる種類の光情報記録媒体（光ディスクともいう）に対して互換可能に情報の記録及び／又は再生を行える光ピックアップ装置用の光学素子及びそれを用いた光ピックアップ装置に関する。
【背景技術】
【０００２】
近年、波長４００ｎｍ程度の青紫色半導体レーザを用いて、情報の記録及び／又は再生を行える高密度光ディスクシステムの研究・開発が急速に進んでいる。一例として、ＮＡ０．６５、光源波長４０５ｎｍの仕様で情報記録及び／又は再生を行う光ディスク、いわゆるＨＤ  ＤＶＤ（以下、ＨＤという）では、直径１２ｃｍの光ディスクに対して、１層あたり１５ＧＢの情報の記録が可能である。また、別の例として、ＮＡ０．８５、光源波長４０５ｎｍの仕様で情報記録及び／又は再生を行う光ディスク、いわゆるＢｌｕ−ｒａｙ  Ｄｉｓｃ（以下、ＢＤという）では、直径１２ｃｍの光ディスクに対して、１層あたり２５ＧＢの情報の記録が可能である。以下、本明細書では、このような光ディスクを「高密度光ディスク」と呼ぶ。【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録及び／又は再生ができるようにすることが望まれている。更に、光ピックアップ装置がノート型パソコン等に搭載されることが多い実情をふまえると、複数種の光ディスクに対する互換性を有するのみでは足らず、そのコンパクト化を実現する事が重要である。【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に難易度が高く、コストアップになる可能性がある。特に、ＢＤとＨＤとでは、保護基板厚が異なるにも関わらず、同じ波長の光束を使用するので、回折構造を用いて収差補正を行うことができず、対物レンズの共通化が難しいという実情がある。【０００５】
また、コンパクト化のためにＤＶＤ／ＣＤ互換レンズは既に実用化されているものの、ＣＤのＷＤ（ワーキングディスタンス）をある程度確保しなければならず、また、ＤＶＤ有効径はＣＤ有効径よりも大きくなるため、それにより互換レンズの外径が大きくなる傾向がある。これに対しＤＶＤ用、ＣＤ用にそれぞれ専用レンズを用いれば、ＣＤ側ＷＤの制限に関わりなくＤＶＤ用レンズを小さくする事ができる。【０００６】
このように、光ピックアップ装置において、異なる光ディスクに対する「互換」と「コンパクト化」を両立させ、更に好ましい光学性能を得るためには、レンズを並列に並べて一体的に形成した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特開平９−１１５１７０号公報
【発明の開示】
【発明が解決しようとする課題】
【０００７】
ところで、２つの対物レンズを精度良く一体的に形成することは難しい。又、高密度光ディスク用の対物レンズは光学特性を考慮してガラス製とし、ＤＶＤ／ＣＤ用の対物レンズはコストを考慮してプラスチック製とするなど、異なる素材から形成したい場合もある。そこで、別個に成形した２つの対物レンズを接着などにより並列的に接合することも考えられている。【０００８】
ここで、単一の対物レンズを光ピックアップ装置に組み付ける場合、例えば対物レンズのフランジ面に向かって検出光を出射し、その反射光をＣＣＤなどで観察することで、精度良く位置決めすることが行われている。しかるに、別個に成形された２つの対物レンズを接合してなる光学素子においては、一般的には残留コマ収差の方向や量が異なるため、これをキャンセルすべく光軸同士を非平行な状態として接合する場合がある。しかるに、光軸が非平行である２つの対物レンズのフランジ面同士は、互いに異なる方向に傾いているために、光ピックアップ装置に組み付ける際に、フランジ面に検出光を入射すると、異なる方向に向かう２つの反射光が生じるために、いずれの反射光に対して位置決めを行うべきか判断がつかず、容易に組み付けを行えないという問題がある。【０００９】
本発明は、かかる従来技術の問題に鑑みてなされたものであり、別々に形成された２つの対物レンズ部が組み合されてなる光学素子を光ピックアップ装置に組み付ける際に、位置決めの判定がしやすく、容易に組み付けを行うことが可能な光ピックアップ装置用の光学素子及び光ピックアップ装置を提供することを目的とするものである。
【課題を解決するための手段】
【００１０】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。【００１１】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。【００１２】
請求の範囲第１項に記載の光ピックアップ装置用の光学素子は、単一又は複数の光源と、第１の対物レンズ部と第２の対物レンズ部とを組み合わせて形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面の周囲に形成されたフランジ部の面粗度は、前記第２の対物レンズ部の光学面の周囲に形成されたフランジ部の面粗度より大きいことを特徴とする。【００１３】
本発明の原理を図面を参照して説明する。図１は、本発明の一例にかかる光学素子の断面図である。第２対物レンズ部ＯＬ２は、光学面ＯＰ２と、その周囲に形成された矩形板状のフランジ部ＦＬ２とを有する。フランジ部ＦＬ２は、内周に段部ＳＴ２を形成した円筒状の開口ＨＬ２を有している。一方、第１の対物レンズ部ＯＬ１は、光学面ＯＰ１と、その周囲に形成された環状のフランジ部ＦＬ１とを有する。第１の対物レンズ部ＯＬ１のフランジ部ＦＬ１を、開口ＨＬ２内の段差部ＳＴ２に対して接着することで、第１の対物レンズ部ＯＬ１は第２の対物レンズ部ＯＬ２と接合され、光学素子ＯＥとなる。尚、第１の対物レンズ部ＯＬ１の光軸をＸ１とし、第２の対物レンズ部ＯＬ２の光軸をＸ２とする。【００１４】
ここで、第１の対物レンズ部ＯＬ１と第２の対物レンズ部ＯＬ２とは異なる金型で成形されるので、残留コマ収差の方向や量が異なっている。従って、残留コマ収差を最適な状態に抑えるためには、第１の対物レンズ部ＯＬ１の光軸Ｘ１と第２の対物レンズ部ＯＬ２の光軸Ｘ２とを傾けた状態で光ピックアップ装置に取り付けることが好ましいことが多い。【００１５】
しかるに、第１の対物レンズ部ＯＬ１と第２の対物レンズ部ＯＬ２の接合方法としては、例えば第２の対物レンズ部ＯＬ２の残留コマ収差が最も小さな状態になるように配置した上で、これとは独立して残留コマ収差が最も小さな状態になるように傾けた第１の対物レンズ部ＯＬ１を、その姿勢のまま第２の対物レンズ部ＯＬ２と接合するのが好ましい。このようにして形成された光学素子ＯＥを、光ピックアップ装置のボビンＢＢに取り付ける場合、検出光源ＯＳから光学素子ＯＥに向かって検出光を照射し、そのフランジ部から反射した光束を不図示のＣＣＤ等により受光して、その受光位置から傾き方向を求めることが行われる。かかる場合、第１の対物レンズ部ＯＬ１のフランジ部ＦＬ１の表面と、第２の対物レンズ部ＯＬ２のフランジ部ＦＬ２の表面とが相互に傾いている場合、フランジ部ＦＬ１とフランジ部ＦＬ２の表面の状態が同じようなものである場合、受光位置の異なる反射光が２つ生じ、双方が不図示のＣＣＤに入射すると精度良い検出を行えない恐れがある。【００１６】
これに対し、本発明によれば、図１に示すように第１の対物レンズ部ＯＬ１のフランジ部ＦＬ１の面粗度を、第２の対物レンズ部ＯＬ２の光学面のフランジ部ＦＬ２の面粗度より悪くしているので、検出光がフランジ部ＦＬ１に照射されたとき、その反射光は図示の如く散乱することとなり、それがＣＣＤ等で検出された場合でも光量が顕著に低下するので、フランジ部ＦＬ２から反射された光とは容易に区別が付き、これにより光学素子ＯＥを精度良くボビンＢＢに取り付けることができる。尚、面粗度を大きくするには、傷や凹凸をつけることなどを含み、例えばフランジ部ＦＬ２を転写成形する金型の面を鏡面加工し、フランジ部ＦＬ１を転写成形する金型の面をショットピーニング加工することなどによって得られる。尚、本明細書でいう「面粗度が大きい」とは、一見して明らかに一方が平面で、一方が粗し面であるような場合は、粗し面の方が、面粗度が大きい事は言うまでもない。また、一見して区別がつきにくい場合は、十点平均粗さ（Ｒｚ）の値が大きい方を面粗度が大きい方とする。十点平均粗さ（Ｒｚ）とは、断面曲線から基準長さを抜き取り、高い方から３番目の山頂と、深い方から３番目の谷底を通る行線の間隔を測定した値である。基準長さとしては、任意の値でよいが、好ましくは、光学面の半径方向に０．１ｍｍ〜１ｍｍの長さである。【００１７】
なお、面粗度を大きくする部分は、第１の対物レンズ部のフランジ部の全ての部分である必要はなく、少なくとも光学面の周囲に形成されたフランジ部であればよく、少なくとも第１の対物レンズ部の光学面のすぐ外側から、光軸と直交方向に光学面の半径の１０％の位置までの領域が面粗度を大きくされていることが好ましく、より好ましくは、第１の対物レンズ部の光学面のすぐ外側から、光軸と直交方向に光学面の半径の１００％の位置までの全領域である。例えば、図６（ａ）に示すように、第１の対物レンズ部のフランジ部の面粗度を大きくする部分の光軸直交方向の幅Ｆが、光学面の半径Ｒの１０％以上、１００％以下であることが好ましい。【００１８】
なお、第１の対物レンズ部のフランジ部の面粗度を大きくした部分の形状は、図６（ａ）に示すように光軸を中心とする同心円状の形状が好ましいが、図６（ｂ）に示すような四角形状であってもよいし、図６（ｃ）に示すような八角形状であってもよい。また、図６（ｄ）に示すように、フランジ部の面粗度を大きくする領域は、光学面のすぐ外側でなくても、光学面と面粗度を大きくする部分の間に隙間があってもよい。この場合であっても、面粗度を大きくする部分の幅（光軸直交方向の長さ）は、光学面の半径の１０％以上、１００％以下であることが好ましい。【００１９】
また、第１の対物レンズ部と第２の対物レンズ部において、対応する光源の波長が異なる場合、対応する光源の波長が短い方を、第１の対物レンズ部とする事が好ましい。また、第１の対物レンズ部と第２の対物レンズ部において、対応する光情報記録媒体の開口数（ＮＡ）が大きい方を、第１の対物レンズ部とする事が好ましい。例えば、ＢＤ専用の対物レンズ部と、ＨＤ／ＤＶＤ／ＣＤ互換の対物レンズ部とを有する光学素子の場合は、ＢＤ専用の対物レンズ部が、第１の対物レンズ部であり、ＨＤ／ＤＶＤ／ＣＤ互換の対物レンズ部が、第２の対物レンズ部である。また、ＤＶＤ専用の対物レンズ部と、ＣＤ専用の対物レンズ部とを有する光学素子の場合は、ＤＶＤ専用の対物レンズ部が、第１の対物レンズ部であり、ＣＤ専用の対物レンズ部が、第２の対物レンズ部である。【００２０】
請求の範囲第２項に記載の光ピックアップ装置用の光学素子は、請求の範囲第１項に記載の発明において、前記第１の対物レンズ部の前記フランジ部の光情報記録媒体側の面の面粗度が、前記第２の対物レンズ部の前記フランジ部の光情報記録媒体側の面の面粗度より大きいことを特徴とする。【００２１】
前記第１の対物レンズ部の前記フランジ部の光情報記録媒体側の面の面粗度を、前記第２の対物レンズ部の前記フランジ部の光情報記録媒体側の面の面粗度より大きくすることにより、光学素子を光ピックアップ装置のボビンに取り付ける際に、検出光源及び受光部であるＣＣＤを空間の大きい光情報記録媒体側に配置することができ、検出光源から光学素子に向かって検出光を照射し、そのフランジ部から反射した光束をＣＣＤ等により受光することが容易となる。尚、フランジ部の光情報記録媒体側の面とは、対物レンズ部の対向する２つの光学面のうち、曲率半径が大きい方の光学面側のフランジ部の面であることが好ましい。【００２２】
請求の範囲第３項に記載の光ピックアップ装置用の光学素子は、請求の範囲第１項に記載の発明において、前記フランジ部に、光束を照射した際の反射光強度が以下の条件、
０．０  ＜  Ｉｒ１／Ｉｒ２  ＜  ０．３              （１）
但し、
Ｉｒ１：前記第１の対物レンズ部の光学面の周囲に形成されたフランジ部からの反射光の強度
Ｉｒ２：前記第２の対物レンズ部の光学面の周囲に形成されたフランジ部からの反射光の強度
を満たすことを特徴とする。【００２３】
前記第１の対物レンズ部と第２の対物レンズ部とを組み合わせて形成した光学素子のフランジ部に光束を照射した際の反射光強度が上記（１）式を満たすことによって、光学素子を光ピックアップ装置のボビンに取り付ける際に、検出光源から光学素子に向かって検出光を照射し、そのフランジ部から反射した光束をＣＣＤ等により受光するような方法を用いた場合に、前記第１の対物レンズ部からの反射光と前記第２の対物レンズ部からの反射光の反射像の間に明らかな強度の差が生じてどちらの対物レンズ部からの反射光かを見分けることが簡単となり、光学素子を光ピックアップ装置のボビンに所望の傾きで取り付けることが用意となるので望ましい。尚、反射光強度の測定方法としては、前記第２の対物レンズ部の光軸に対して、受光面を直交させた光強度計によって測定することが考えられるが、これに限られない。【００２４】
請求の範囲第４項に記載の光ピックアップ装置用の光学素子は、請求の範囲第１項に記載の発明において、前記第１の対物レンズ部の前記フランジ部に光束を垂直に照射したときの反射率をＡ％とし、前記第２の対物レンズ部の前記フランジ部に光束を垂直に照射したときの反射率をＢ％としたとき、以下の条件、
Ｂ−Ａ≧１０（％）                    （２）
を満たすことを特徴とする。【００２５】
上記（２）式を満たすことによって、光学素子を光ピックアップ装置のボビンに取り付ける際に、検出光源から光学素子に向かって検出光を照射し、そのフランジ部から反射した光束をＣＣＤ等により受光するような方法を用いた場合に、前記第１の対物レンズ部からの反射光と前記第２の対物レンズ部からの反射光の反射像の間に明らかな強度の差が生じてどちらの対物レンズ部からの反射光かを見分けることが簡単となり、光学素子を光ピックアップ装置のボビンに所望の傾きで取り付けることが容易となるので望ましい。
尚、Ｂ−Ａ≧３０（％）であると、より好ましい。また、Ｂ≧２０（％）であることが好ましい。【００２６】
請求の範囲第５項に記載の光ピックアップ装置用の光学素子は、単一又は複数の光源と、第１の対物レンズ部と第２の対物レンズ部とを組み合わせて形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面の周囲に形成されたフランジ部の面の光軸に対する角度と、前記第２の対物レンズ部の光学面の周囲に形成されたフランジ部の面の光軸に対する角度とが異なっていることを特徴とする。【００２７】
本発明の別な例を示す図２を参照して説明する。図２に示すように、第１の対物レンズ部ＯＬ１の光学面ＯＰ１の周囲に形成されたフランジ部ＦＬ１の面の角度と、第２の対物レンズ部ＯＬ２の光学面ＯＰ２の周囲に形成されたフランジ部ＦＬ２の面の角度とを異ならせているので、検出光源ＯＳからの検出光がフランジ部ＦＬ１に照射されたとき、その反射光は、フランジ部ＦＬ２からの反射光とはより異なった方向に反射することとなり、ＣＣＤ等で検出される検出範囲外となり検出される可能性は低くなるので、フランジ部ＦＬ２から反射された光のみを精度良く検出でき、これにより光学素子ＯＥを精度良くボビンＢＢに取り付けることができる。
尚、「フランジ部の角度」とは、それが設けられた対物レンズの光軸に対する角度をいうものとし、図２の例では、フランジ部ＦＬ１の角度θ１（＞９０度）は、フランジ部ＦＬ２の角度θ２（＝９０度）より大きくなっている（θ１＞θ２）。【００２８】
また、フランジ部を光軸直交方向から傾ける部分は、第１の対物レンズ部のフランジ部の全ての部分である必要はなく、少なくとも光学面の周囲に形成されたフランジ部であればよい。光軸直交方向から傾ける領域は、少なくとも第１の対物レンズ部の光学面のすぐ外側から、光軸と直交方向に光学面の半径の１０％の位置までの領域を傾けることが好ましく、より好ましくは、第１の対物レンズ部の光学面のすぐ外側から、光軸と直交方向に光学面の半径の１００％の位置までの全領域である。【００２９】
なお、フランジ部を傾ける部分は、光軸を中心とする同心円状の形状が好ましいが、四角形状であってもよいし、八角形状であってもよい。また、フランジ部を傾ける部分は、光学面のすぐ外側でなくても、光学面とフランジ部を傾ける部分の間に隙間があってもよい。この場合であっても、フランジ部を傾ける部分の幅（光軸直交方向の長さ）は、光学面の半径の１０％以上、１００％以下であることが好ましい。【００３０】
請求の範囲第６項に記載の光ピックアップ装置用の光学素子は、請求の範囲第５項に記載の発明において、前記第１の対物レンズ部の前記フランジ部の光情報記録媒体側の面の光軸に対する角度と、前記第２の対物レンズ部の前記フランジ部の光情報記録媒体側の面の光軸に対する角度とが異なっていることを特徴とする。【００３１】
前記第１の対物レンズ部の前記フランジ部の光情報記録媒体側の面の光軸に対する角度を、前記第２の対物レンズ部の前記フランジ部の光情報記録媒体側の面の光軸に対する角度より大きくすることにより、光学素子を光ピックアップ装置のボビンに取り付ける際に、検出光源及び受光部であるＣＣＤを空間の大きい光情報記録媒体側に配置することができ、検出光源から光学素子に向かって検出光を照射し、そのフランジ部から反射した光束をＣＣＤ等により受光することが容易となる。【００３２】
請求の範囲第７項に記載の光ピックアップ装置用の光学素子は、請求の範囲第５項に記載の発明において、前記第１の対物レンズ部の光学面の周囲に形成されたフランジ部の面の光軸に対する角度と、前記第２の対物レンズ部の光学面の周囲に形成されたフランジ部の面の光軸に対する角度が、以下の条件、
０．１  ＜  ｜θ１−θ２｜  ＜  ２０．０            （３）
但し、
θ１：前記第１の対物レンズ部の光学面の周囲に形成されたフランジ部の面と光軸のなす角度（ｄｅｇ．）
θ２：前記第２の対物レンズ部の光学面の周囲に形成されたフランジ部の面と光軸のなす角度（ｄｅｇ．）
を満たすことを特徴とする。【００３３】
前記第１の対物レンズ部の光学面の周囲に形成されたフランジ部の面の角度と、前記第２の対物レンズ部の光学面の周囲に形成されたフランジ部の面の角度が式（３）を満たすことにより、光学素子を光ピックアップ装置のボビンに取り付ける際に、検出光源から光学素子に向かって検出光を照射し、そのフランジ部から反射した光束をＣＣＤ等により受光するような方法を用いた場合、前記第１の対物レンズ部のフランジ部からの反射光は、前記第２の対物レンズ部のフランジ部からの反射光とは異なった方向に反射することとなり、ＣＣＤ等で検出される検出範囲外となって検出される可能性は低くなるので、前記第２の対物レンズ部のフランジ部から反射された光のみを精度良く検出でき、光学素子を光ピックアップ装置のボビンに所望の傾きで取り付けることが用意となるので望ましい。【００３４】
光学素子を光ピックアップ装置のボビンに取り付ける際に、検出光源から光学素子に向かって検出光を照射し、そのフランジ部から反射した光束をＣＣＤ等により受光するような方法を用いた場合、前記第１の対物レンズ部のフランジ部からの反射光は、前記第１の対物レンズ部の光学面の周囲に形成されたフランジ部の面と光軸のなす角度から決まる方向に反射し、前記第２の対物レンズ部のフランジ部からの反射光は、前記第２の対物レンズ部の光学面の周囲に形成されたフランジ部の面と光軸のなす角度から決まる方向に反射する。例えば、前記第１の対物レンズ部のフランジ部からの反射光がＣＣＤの受光範囲に対して十分外側とするため、ＣＣＤの受光面上での２つの反射光の位置が３ｍｍ以上離す場合は、これら２つのフランジ部の角度差が５度とすれば光学素子から約３５ｍｍ離れた位置で反射光を観察すればよいことになる。【００３５】
また（３）式の下限より角度差が大きい場合、上記例にあった２つの反射光位置を十分離して観察するための光学素子からＣＣＤまでの距離が大きくなりすぎる事を防止でき、光学素子の傾きを調整するための装置を小型化でき望ましい。【００３６】
（３）式の上限より角度差が小さい場合、レンズのフランジ部の傾きによってフランジ部の光軸方向の厚さが小さい部分ができる事を防止でき、光学素子をモールド等で製造するのが困難となることを防止できるので、望ましい。また、２つの反射光位置を十分離して観察するための光学素子からＣＣＤまでの距離が小さくなることを防止でき、光学素子の傾きを調整するための装置を構成することが難しくなることを防止できるので、望ましい。【００３７】
請求の範囲第８項に記載の光ピックアップ装置用の光学素子は、請求の範囲第５項に記載の発明において、前記第２の対物レンズ部の光学面の周囲に形成されたフランジ部の面は、前記第２の対物レンズ部の光軸に対してほぼ直交していることを特徴とする。【００３８】
ここで、ほぼ直交していることの定義は光軸とフランジ部のなす角度が８８度〜９２度、望ましくは８９．５度〜９０．５度の範囲であることを言う。【００３９】
上記範囲にあることで、光学素子を光ピックアップ装置のボビンに取り付ける際に、検出光源から光学素子に向かって検出光を照射し、そのフランジ部から反射した光束をＣＣＤ等により受光するような方法を用いた場合、少なくとも第２の対物レンズ部のフランジ部からの反射光は、ＣＣＤの受光範囲内となり、かつ反射光の像がほぼ円形に近い位置を検出しやすいものとなるので、望ましい構成である。【００４０】
請求の範囲第９項に記載の光ピックアップ装置用の光学素子は、請求の範囲第１項〜第８項のいずれかに記載の発明において、前記第２の対物レンズ部のフランジ部に形成された開口又は切欠に、前記第１の対物レンズ部が嵌め込まれていることを特徴とする。【００４１】
請求の範囲第１０項に記載の光ピックアップ装置は、請求の範囲第１項〜第９項のいずれかに記載の光学素子を用いることを特徴とする。【００４２】
尚、本発明の光学素子は、第１の対物レンズ部と、第２の対物レンズ部を別々に成形し、後に、嵌合や接着などにより一体化することにより得られるものである。図１，２に示す以外の光学素子の例としては、図３に示すように、第２の対物レンズ部ＯＬ２が、その矩形板状のフランジ部ＦＬ２に段差部ＳＴ２を有する切欠ＣＴ２を形成しており、切欠ＣＴ２内の段差部ＳＴ２に、フランジ部ＦＬ１を保持されるようにして、第１の対物レンズ部ＯＬ１が光軸直交方向から組み付けられ、接着等により一体化されて、第１の対物レンズ部ＯＬ１と第２の対物レンズ部ＯＬ２が並列になった光学素子ＯＥが形成される。【００４３】
尚、図４に示すように、開口ＨＬ又は切欠内に段差を形成することなく、第１の対物レンズＯＬ１のフランジ部ＦＬ１は、フランジ部ＦＬ２の上面で支持されても良い。或いは、図示していないが、第１の対物レンズ部ＯＬ１と、第２の対物レンズ部ＯＬ２とを、別部材である保持部材に組み付けることで一体化しても良い。何れの場合も、保持部材が開口を有し、そこに対物レンズ部を嵌め込むように配置する事が好ましい。【００４４】
また、光学素子を光ピックアップ装置に組み付ける際に、前記光学素子のフランジ部に光束を照射し、その反射光を受光することで、前記光学素子の位置決めを行うことが好ましい。
【発明の効果】
【００４５】
本発明によれば、別々に形成された２つの対物レンズ部が組み合されてなる光学素子を光ピックアップ装置に組み付ける際に、位置決めの判定がしやすく、容易に組み付けを行うことが可能な光ピックアップ装置用の光学素子及び光ピックアップ装置を提供することができる。
【図面の簡単な説明】
【００４６】
【図１】本発明の一例にかかる光学素子の断面図である。
【図２】本発明の別な例にかかる光学素子の断面図である。
【図３】本発明の別な例にかかる光学素子の斜視図である。
【図４】本発明の別な例にかかる光学素子の断面図である。
【図５】ＢＤ（第１光情報記録媒体ともいう）、及びＨＤ（第２光情報記録媒体ともいう）に対して情報の記録及び／又は再生を行える光ピックアップ装置の概略断面図である。
【図６】光学面（丸）の周囲に形成された荒らし面（点描）を示す模式図である。
【符号の説明】
【００４７】
ＡＣＴ  アクチュエータ
ＡＣＴＢ  アクチュエータベース
ＢＳ  ビームシェイパ
ＣＬ１  コリメートレンズ
ＥＸＰ  エキスパンダーレンズ
ＦＬ１、ＦＬ２  フランジ部
Ｇ  回折格子
ＬＤ１  半導体レーザ
ＢＢ  ボビン
ＯＬ１  第１の対物レンズ部
ＯＬ２  第２の対物レンズ部
ＯＥ  光学素子
ＰＢＳ  偏光ビームスプリッタ
ＰＤ  光検出器
ＱＷＰ  λ／４波長板
ＳＬ  センサレンズ
【発明を実施するための最良の形態】
【００４８】
以下、図面を参照して、本発明の実施の形態を詳細に説明する。図５は、ＢＤ（第１光情報記録媒体ともいう）、及びＨＤ（第２光情報記録媒体ともいう）に対して情報の記録及び／又は再生を行える光ピックアップ装置の概略断面図である。尚、本実施の形態においては、図１、２等に示すような、第１の対物レンズ部ＯＬ１と第２の対物レンズ部ＯＬ２とを接合した光学素子ＯＥを用いている。【００４９】
ボビンＢＢは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。対物レンズ部を支持するボビンＢＢは、支持する２つの対物レンズの両光軸の中間点でそれらと略平行に延在する軸線回りに回転可能となっており、ＢＤに対して情報の記録及び／又は再生を行う場合、不図示の駆動機構によって、第１の対物レンズ部ＯＬ１にλ／４波長板ＱＷＰを通過した光束が入射する位置へと回転し、ＨＤに対して情報の記録及び／又は再生を行う場合、第２の対物レンズ部ＯＬ２にλ／４波長板ＱＷＰを通過した光束が入射する位置へと回転するようになっている。【００５０】
ＢＤに対して情報の記録及び／又は再生を行う場合、ボビンＢＢを図５に示す位置へと回転移動させる。図５において、第１の光源としての半導体レーザＬＤ１（波長λ１＝３５０ｎｍ〜４４０ｎｍ）から出射された光束は、ビームシェイパＢＳを通過することで光束の形状を補正された上で、コリメートレンズＣＬ１に入射する。コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【００５１】
エキスパンダーレンズＥＸＰを通過した光束は、λ／４波長板ＱＷＰを通過して、第１の対物レンズ部ＯＬ１により集光されて、ＢＤの保護層（厚さｔ１＝０．０３〜０．１３ｍｍ）を介してその情報記録面に集光されここに集光スポットを形成する。【００５２】
そして情報記録面で情報ピットにより変調されて反射した光束は、再び第１の対物レンズ部ＯＬ１、λ／４波長板ＱＷＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＢＤに対して、情報の記録及び／又は再生を行う。【００５３】
また、光検出器ＰＤ上でのスポットの形状変化、位置変化による光量変化を検出して、合焦検出やトラック検出を行う。この検出に基づいて、半導体レーザＬＤ１からの光束をＢＤの情報記録面上に結像するように、第１の対物レンズ部ＯＬ１をボビンＢＢごと移動させるように、アクチュエータＡＣＴを駆動する。【００５４】
ＨＤに対して情報の記録及び／又は再生を行う場合、ボビンＢＢを図５に示す位置から回転移動させる。半導体レーザＬＤ１から出射された光束は、ビームシェイパＢＳを通過することで光束の形状を補正された上で、コリメートレンズＣＬ１に入射する。コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【００５５】
エキスパンダーレンズＥＸＰを通過した光束は、λ／４波長板ＱＷＰを通過して、第２の対物レンズ部ＯＬ２により集光されて、ＨＤの保護層（厚さｔ２＝０．５〜０．８ｍｍ）を介してその情報記録面に集光されここに集光スポットを形成する。【００５６】
そして情報記録面で情報ピットにより変調されて反射した光束は、再び第２の対物レンズ部ＯＬ２、λ／４波長板ＱＷＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＨＤに対して、情報の記録及び／又は再生を行う。【００５７】
また、光検出器ＰＤ上でのスポットの形状変化、位置変化による光量変化を検出して、合焦検出やトラック検出を行う。この検出に基づいて、第２半導体レーザＬＤ２からの光束をＨＤの情報記録面上に結像するように、第２の対物レンズ部ＯＬ２をボビンＢＢごと移動させるように、アクチュエータＡＣＴを駆動する。【００５８】
以上の例では、第１の対物レンズ部ＯＬ１がＢＤ専用であり、第２の対物レンズ部ＯＬ２がＨＤ専用であるが、かかる組み合わせに限られない。第１の対物レンズ部ＯＬ１を用いる光ディスク、第２の対物レンズ部ＯＬ２を用いる光ディスクの組み合わせとしては、例えば（ＢＤ、ＤＶＤ）、（ＢＤ、ＣＤ）、（ＨＤ、ＤＶＤ）、（ＨＤ、ＣＤ）、（ＤＶＤ、ＣＤ）などが考えられる。更に、第１の対物レンズ部ＯＬ１と第２の対物レンズ部ＯＬ２の少なくとも一方を、互換レンズとすることもできる。例えば、第１の対物レンズ部ＯＬ１をＢＤ専用とし、第２の対物レンズ部ＯＬ２を、光路差付与構造を有するＨＤ／ＤＶＤ／ＣＤの互換レンズとしても良い。また、第１の対物レンズ部ＯＬ１をＢＤ／ＨＤの互換レンズとし、第２の対物レンズ部ＯＬ２を、ＤＶＤ／ＣＤの互換レンズとしても良い。【００５９】
本実施の形態によれば、第１の対物レンズ部ＯＬ１のフランジ部ＦＬ１の面の面粗度を、第２の対物レンズ部ＯＬ２のフランジ部ＦＬ２の面粗度より大きくするか、又は互いの角度を異ならせているので、光学素子ＯＥをボビンＢＢに組み付ける際に、図１、２に示すように、検出光源ＯＳからの検出光がフランジ部ＦＬ１及びＦＬ２に照射されたとき、ＦＬ１からの反射光は、ＣＣＤ等で検出される可能性は低いので、フランジ部ＦＬ２から反射された光を精度良く検出でき、これにより光学素子ＯＥを精度良くボビンＢＢに取り付けることができる。【００６０】
以上、本発明を実施の形態を参照して説明してきたが、本発明は上記実施の形態に限定して解釈されるべきではなく、適宜変更や改良が可能であることはもちろんである。
【図１】
2008111364.tif 000003
【図２】
2008111364.tif 000004
【図３】
2008111364.tif 000005
【図４】
2008111364.tif 000006
【図５】
2008111364.tif 000007
【図６】
2008111364.tif 000008
【国際調査報告】
2008111364.tif 000009
2008111364.tif 000010